(57)【要約】【課題】組立性の向上と組立工数の削減を図り、安価な加熱蒸散器を提供する。【解決手段】本加熱蒸散器は、薬液を吸上げる吸液芯を備えた液体容器が収容され、上部に前記吸液芯を加熱する発熱体が取り付けられた本体と、この本体を囲い、本体と異なる材質からなるケース体と、本体の上側に位置し、かつケース体の上側開口を塞ぎ、蒸散孔が設けられた蓋体とを備え、本体と蓋体を固定手段により固定することで、ケース体が本体に固定される。【選択図】  図３
2011183063.tif 000002
【特許請求の範囲】
【請求項１】
薬液を吸上げる吸液芯を備えた液体容器が収容され、上部に前記吸液芯を加熱する発熱体が取り付けられた本体と、
この本体を囲い、本体と異なる材質からなるケース体と、
前記本体の上側に位置し、かつ前記ケース体の上側開口を塞ぎ、蒸散孔が設けられた蓋体とを備え、
前記本体と前記蓋体を固定手段により固定することで、前記ケース体が前記本体に固定されることを特徴とする加熱蒸散器。
【請求項２】
前記ケース体は複数の分割ケース体に分割されることを特徴とする請求項１に記載の加熱蒸散器。
【請求項３】
前記蓋体と前記ケース体はリブ及び溝による凹凸結合で固定されることを特徴とする請求項１または２に記載の加熱蒸散器。
【請求項４】
前記分割ケース体の下端近傍には、この分割ケース体を前記本体に固定するための内向きフランジ部が各々設けられ、この各々の内向きフランジ部の終端には、接合用の傾斜面が形成されていることを特徴とする請求項２または３に記載の加熱蒸散器。
【請求項５】
前記ケース体は透明であることを特徴とする請求項１ないし４のいずれか１項に記載の加熱蒸散器。
【請求項６】
前記ケース体の内面側には、このケース体に沿って内側ケース部材が設けられ、この内側ケース部材はＳＵＳ製であることを特徴とする請求項５に記載の加熱蒸散器。
【請求項７】
前記本体には、電源コードと電源スイッチが近接して設けられることを特徴とする請求項１ないし６のいずれか１項に記載の加熱蒸散器。
【発明の詳細な説明】
【技術分野】
【０００１】
本発明は加熱蒸散器に係り、特に組立が容易になるように構造を改良した加熱蒸散器に関する。
【背景技術】
【０００２】
従来、部屋の消臭や芳香等に適した薬液等を気化、蒸散させる加熱蒸散器が広く用いられている。
【０００３】
この種の加熱蒸散器は、内部の薬液を吸上げる吸液芯を備えた液体容器を蒸散器本体の下部に設置し、蒸散器本体内部に設けられたヒータ等の発熱体によって、この吸液芯を加熱することで、薬液の気化、蒸散を促し、蒸散器本体の上方に設けられた蒸散口から外部へ拡散する構造となっている。  
従来の加熱蒸散器は、構成部品や締結用螺子の数が多く、組立工程が複雑になるという問題があった。
【０００４】
そこで、加熱蒸散器を螺子受ボスを備えた本体前ケースと、発熱体を固定支持するとともに螺子受ボスが挿入される貫通孔を備えた取付部材と、貫通孔に挿入された螺子受ボスを螺子で締結するためのボス受部を備えた本体後ケースとで構成した提案がなされている（例えば、特許文献１参照）。
【先行技術文献】
【特許文献】
【０００５】
【特許文献１】特開２００２−２００１５３号公報
【発明の概要】
【発明が解決しようとする課題】
【０００６】
しかしながら、特許文献１に記載の加熱蒸散器は、蒸散器本体が、本体前ケースと本体後ケースとに２分割された構成とし、発熱体が螺着された取付部材とともに、水平方向の螺子によって本体前ケースと本体後ケースを一体化する構造であり、部品点数、螺子数も多く、高価であり改良の余地がある。
【０００７】
本発明は上述した事情を考慮してなされたもので、組立性の向上と組立工数の削減を図り、安価な加熱蒸散器を提供することを目的とする。
【課題を解決するための手段】
【０００８】
上述した目的を達成するため、本発明に係る加熱蒸散器は、薬液を吸上げる吸液芯を備えた液体容器が収容され、上部に前記吸液芯を加熱する発熱体が取り付けられた本体と、この本体を囲い、本体と異なる材質からなるケース体と、前記本体の上側に位置し、かつ前記ケース体の上側開口を塞ぎ、蒸散孔が設けられた蓋体とを備え、前記本体と前記蓋体を固定手段により固定することで、前記ケース体が前記本体に固定されることを特徴とする。
【発明の効果】
【０００９】
本発明に係る加熱蒸散器によれば、組立性の向上と組立工数の削減を図り、安価な加熱蒸散器を提供することができる。
【図面の簡単な説明】
【００１０】
【図１】本発明に係る加熱蒸散器の一実施形態を上方から見た斜視図。
【図２】本発明に係る加熱蒸散器の一実施形態を下方から見た斜視図。
【図３】本発明に係る加熱蒸散器の一実施形態の側面を示す縦断面図。
【図４】本発明に係る加熱蒸散器の一実施形態の底面図。
【図５】本発明に係る加熱蒸散器の一実施形態の背面図。
【図６】本発明に係る加熱蒸散器の一実施形態の使用状態を上方から見た分解斜視図。
【図７】本発明に係る加熱蒸散器の一実施形態の使用状態を下方から見た底面図。
【図８】本発明に係る加熱蒸散器の一実施形態に用いるケース体の底面図。
【発明を実施するための形態】
【００１１】
本発明に係る加熱蒸散器の一実施形態について図面を参照して説明する。
【００１２】
図１〜図５に示すように、本実施形態の加熱蒸散器１は、液体容器Ｖが収容される本体２と、この本体２を囲うケース体３と、本体２の上側に位置し、ケース体３の上側開口３ａを塞ぐ蓋体４と、ケース体３に収容される発熱体５と、本体２の上部および発熱体５を囲う内カバー６と、発熱体５に給電するプラグ７とを備える。
【００１３】
本体２は合成樹脂製、例えばポリプロピレン製で側面視略凸状をなし、内部に略ドーム状の容器収容部２１が設けられる本体上部（本体主部）２２と、この本体上部２２から下方に延びる本体下部２３からなる。
【００１４】
本体上部２２には、容器取付用の容器頭部Ｖａ（図６）が収容される略円筒状の頭部収容部２２１が設けられ、本体下部２３には、液体収容用の容器本体Ｖｂが収容される略正方形筒状の容器本体収容部２３１が設けられる。
【００１５】
さらに、本体下部２３の下端から外方に延びる外向きフランジ部２３２ａ、２３２ｂが設けられ、外向きフランジ部２３２ａには、係合長孔２３３ａが２個ずつ設けられ、電気部品取付用の半楕円切欠部２３４、半円切欠部２３５が設けられた立上２３６が形成された外向きフランジ部２３２ｂには、係合丸孔２３３ｂが立上２３６を挟むように２個設けられる。
【００１６】
立上２３６に対向する本体下部２３の側面は内側にわずかに膨出して、電気部品収容部２３７を形成している。
【００１７】
一方、頭部収容部２２１の外周に設けられる連結部２２６には、本体取付部２２２が９０°間隔で４個設けられ、この本体取付部２２２は頭部収容部２２１から離間状態で、頭部収容部２２１に沿ってこれより高い位置まで上方に延びている。そして、この本体取付部２２２の上面には、本発明の固定手段の一部をなす螺子Ｓが貫通する、同じく固定手段の一部をなす螺子貫通孔２２３が設けられる。
【００１８】
また、連結部２２６には、本体上部２２と一体状態で、頭部収容部２２１に沿ってこの頭部収容部２２１より高い位置まで上方に延びる一対の発熱体取付部２２４が設けられ、この発熱体取付部２２４に発熱体５が螺着される。さらに、連結部２２６には、多数の連通孔２２７が設けられ、外気及び凝縮した薬液が通過できるようになっている。
【００１９】
発熱体５が発熱体取付部２２４に螺着された状態で、頭部収容部２２１の上面に設けた液芯貫通孔２２５が、発熱体５に設けた液芯挿入孔５２と一致し、吸液芯Ｐが液芯貫通孔２２５および液芯挿入孔５２を貫通可能になっている。
【００２０】
また、本体下部２３の上部には、内カバー６を固定する係止突条２３８が正方形状に立設されている。
【００２１】
図３、図４および図６に示すように、ケース体３は透明合成樹脂、例えばアクリルやＡＳ樹脂（アクリロニトリル・スチレン共重合体）等で成形されている。特にアクリルは、無色透明の樹脂の中でも比較的耐薬品性能が高く、高級感もあるため、ケース本体３の材料として好ましい。略正方形の面をＬ字状に２面連設してなる分割ケース体３１ａ、３１ｂが、正方形状の筒状になるように連続してなり、加熱蒸散器１の組立時には２個の分割ケース体３１ａ、３１ｂは分離状態である。
【００２２】
そして、分割ケース体３１ａ、３１ｂの上端には、組立時に口字状をなすように係合溝条３２が設けられる。
【００２３】
また、分割ケース部材３１ａ、３１ｂの下端には、この下端を切欠することで脚部３３が設けられ、下端近傍には、分割ケース体３１ａ、３１ｂを本体２に固定するための内向きフランジ部３４ａ、３４ｂが各々設けられ、この各々の内向きフランジ部３４ａ、３４ｂの終端には、図８に示す接合用の傾斜面３４１が形成されている。
【００２４】
さらに、内向きフランジ部３４ａ及び内向きフランジ部３４ｂの一方側には、下方に突出し、係合長孔２３３ａに係合し、扁平長円形状の係合突起３４２が設けられ、内向きフランジ部３４ｂの他方側には、図８に示すように、この他方側に設けたフランジ切欠部３４３を挟んで円柱状の係合突起３４４が設けられている。
【００２５】
また、他方側にはフランジ切欠部３４３の上方に、電気部品を押さえ固定するための半楕円切欠部３４５と、半円切欠部３４６が設けられている。
【００２６】
ケース体３の内面側には、このケース体３に沿って内側ケース部材８が設けられ、内側ケース部材８はＳＵＳ製で、１枚の長尺板を３稜で正方形状に折り曲げられ、１稜は不連続である筒状をなし、その一面下部に電気部品用切欠部８１が設けられている。
【００２７】
加熱蒸散器１が組立てられた状態では、ケース体３と内側ケース部材８は密接状態を保っている。
【００２８】
図３、図６及び図７に示すように、蓋体４は合成樹脂製、例えばポリプロピレン製で略正方形板状をなし、中央部には正方形状の蒸散孔４１が設けられ、下面には本体取付部２２２に設けた螺子貫通孔２２３に対向して、４本の取付柱４２が立設され、螺子貫通孔２２３を貫通する螺子Ｓが螺合し固定手段の一部をなす螺子孔４３が設けられ、また、大径の透光孔４４に連通して下方に僅かに延びる収容リング部４５が設けられる。
【００２９】
さらに、下面には蒸散孔４１を囲うように下方に向かって突設された蒸散塔４６が正方形状に設けられ、下面外周には係合溝条３２に係合する係止突条４７が口字状に設けられている。
【００３０】
発熱体５は合成樹脂製の発熱体取付部材５１で囲われ、この発熱体取付部材５１には、略中央部に金属リングで形成される液芯挿入孔５２が設けられ、両側に延びる取付片５３には螺子Ｓ１が貫通する取付孔（図示せず）が設けられ、この取付孔を貫通する螺子Ｓ１を発熱体取付部材５１の螺子孔（図示せず）に螺合することで、発熱体５が螺着される。
【００３１】
内カバー６は、合成樹脂製、例えばポリプロピレン製で、正方形状筒体をなし、首部収容部２２１と発熱体５を囲い、蓋体４の下面と本体下部２３間に設けられる。
【００３２】
さらに、内カバー６の下端には、本体下部２３の上端に設けた係止突条２３８に係合する係止溝６１が設けられ、上端には、組立状態で蓋体４の下面に当接する支持部６２が外方に水平に延びて設けられ、支持部６２の一つ隅部には、円弧状の膨出部６３が設けられる。
【００３３】
この膨出部６３は、本体下部２３に立設されたＬＥＤ取付柱２３９の先端に取付けられたＬＥＤ９を囲う透明リング状の反射部材１０が収容される収容リング部４５を囲うものであり、反射部材１０の先端に取付けられ、蓋体４と同色で同一材質の円板１１により、透光孔４４はリング状に透光させる。
【００３４】
再び、図３〜図５に戻り、加熱蒸散器１の下部には、プラグ７と、電源スイッチ１２が設けられ、この電源スイッチ１２は電源コード７１の先端に設けたコードプロテクター７２に近接して電気部品収容部２３７に収容され、コードプロテクター７２及び電源スイッチ１２の操作部１２１は外部に露出する。
【００３５】
次に、本実施形態の加熱蒸散器の組立について説明する。
【００３６】
図３、図６および図７に示すように、電源スイッチ１２（図５）およびコードプロテクター７２の一部を電気部品収容部２３７に収容し、電源スイッチ１２およびプラグ７を本体２に、予め取付ける。
【００３７】
また、発熱体取付部材５１の取付孔を貫通した螺子Ｓ１を発熱体取付部２２４の螺子孔に螺合して、予め発熱体５を本体２に螺着する。
【００３８】
しかる後、内カバー６を上方から本体２に空間を設けて外挿し、本体上部２２および発熱体５を周囲から覆う。
【００３９】
このとき、内カバー６の係止溝６１を本体下部２３の係止突条２３８に係合することで、内カバー６を本体２に仮固定する。
【００４０】
そして、電気部品用切欠部８１を電源スイッチ１２およびコードプロテクター７２に対向させた状態で、内側ケース部材８を上方から空間を設けて外挿する。
【００４１】
さらに、内側ケース部材８をわずかに持ち上げた状態で、２個に分割された分割ケース体３１ａ及び分割ケース体３１ｂを、内側ケース部材８を抱くように周囲から密接状態で囲う。このとき、半楕円切欠部３４５と、半円切欠部３４６が設けられた分割ケース体３１ｂを、半楕円切欠部３４５と、半円切欠部３４６が、コードプロテクター７２及び電源スイッチ１２を押圧するように電気部品側に位置させる。
【００４２】
分割ケース体３１ａ及び分割ケース体３１ｂにより内側ケース部材８を囲うように正方形状にケース体３を組立てる過程で、内向きフランジ部３４ａ、３４ｂに傾斜面３４１が形成されているので、組立が容易になり、またケース体３が強固になり、隙間の発生も防止できる。
【００４３】
内側ケース部材８をケース体３で囲った状態で、内向きフランジ部３４ａは外向きフランジ部２３２ａに、内向きフランジ部３４ｂは外向きフランジ部２３２ｂに対向する。
【００４４】
この状態で係合突起３４２を係合長孔２３３ａに、係合突起３４４を係合丸孔２３３ｂに係合させる。
【００４５】
さらに、収容リング部４５が膨出部６３に対向するようにして、蓋体４でケース体３の上側開口３ａを塞ぐ。
【００４６】
この状態で口字状に配された係止突条４７が係合溝条３２に凹凸結合し、収容リング部４５は膨出部６３に収容され、ＬＥＤ９は収容リング部４５に収容された反射部材１０に挿入される。また、取付柱４２に設けた螺子貫通孔２２３が、本体取付部２２２に設けた螺子貫通孔２２３に対向する。
【００４７】
外向きフランジ部２３２ａと内向きフランジ部３４ｂの接合、係合突起３４２と係合長孔２３３ａ、係合突起３４４と係合丸孔２３３ｂの係合、及び係止突条４７と係合溝条３２の係合により、係合部が外部から視認されず、美観に優れる。
【００４８】
このような組立工程により、加熱蒸散器１は仮固定される。
【００４９】
この仮固定された加熱蒸散器１を天地逆にし、螺子Ｓを螺子貫通孔２２３を貫通させて、螺子貫通孔２２３に螺合し、本体２に蓋体４を強固に固定する。この蓋体４の本体２への固定により、ケース体３は外向きフランジ部２３２ａ、２３２ｂと下面外周（係合溝条３２）間で狭持され強固に固定される。
【００５０】
本実施形態において、ケース体は複数の分割ケース体に分割されているので、型が簡素化され、さらにケース体の製造が容易になる。また、蓋体とケース体はリブ及び溝による凹凸結合で固定されるので、組立が容易で強固である。ケース体は透明であるのでクリアー感が出、内側ケース部材がＳＵＳ製であるので高級感が出て美観に優れる。
【００５１】
また、電源コードと電源スイッチが近接して設けられるので、電源スイッチ用の配線を短くできるとともに、加熱蒸散器を部屋壁に向けて近付けて使用しても、部屋壁にはコードプロテクターが先に当たり、電源スイッチの操作部が当たり、蒸散動作が停止されることを防ぐことができる。
【００５２】
本発明における固定手段は、本実施形態では螺子貫通孔２２３と螺子Ｓからなる螺子固定構造であるが、合成樹脂の弾性を利用した係合孔と係止爪を利用した弾性結合構造など、本実施形態に限定されるものではない。
【００５３】
本実施形態の加熱蒸散器によれば、組立性の向上と組立工数の削減を図り、安価な加熱蒸散器が実現する。
【符号の説明】
【００５４】
１  加熱蒸散器
２  本体
２１  容器収容部
２２  本体上部
２３  本体下部
２２１  頭部収容部
２２２  本体取付部
２２３  螺子貫通孔
２２４  発熱体取付部
２２５  液芯貫通孔
２２６  連結部
２２７  連通孔
２３１  容器本体収容部
２３２ａ、２３２ｂ  外向きフランジ部
２３３ａ  係合長孔
２３３ｂ  係合丸孔
２３４  半楕円切欠部
２３５  半円切欠部
２３６  立上
２３７  電気部品収容部
２３８  係止突条
２３９  ＬＥＤ取付柱
３  ケース体
３ａ  上側開口
３１ａ、３１ｂ  分割ケース体
３２  係合溝条
３３  脚部
３４ａ、３４ｂ  内向きフランジ部
３４１  傾斜面
３４２  係合突起
３４３  フランジ切欠部
３４４  係合突起
３４５  半楕円切欠部
３４６  半円切欠部
４  蓋体
４１  蒸散孔
４２  取付柱
４３  螺子孔
４４  透光孔
４５  収容リング部
４６  蒸散塔
４７  係止突条
５  発熱体
５１  発熱体取付部材
５２  液芯挿入孔
５３  取付片
６  内カバー
６１  係止溝
６２  支持部
６３  膨出部
７  プラグ
７１  電源コード
７２  コードプロテクター
８  内側ケース部材
８１  電気部品用切欠部
９  ＬＥＤ
１０  反射部材
１１  円板
１２  電源スイッチ
１２１  操作部
【図１】
2011183063.tif 000003
【図２】
2011183063.tif 000004
【図３】
2011183063.tif 000005
【図４】
2011183063.tif 000006
【図５】
2011183063.tif 000007
【図６】
2011183063.tif 000008
【図７】
2011183063.tif 000009
【図８】
2011183063.tif 000010